(57)【要約】【課題】男性用下着装着時の陰嚢と陰茎の接触を絶ち、更には下腹部や太腿との接触を絶って、下腹部全体の蒸れを防止すると共に装着時の陰茎のずれや外れを防いで装着状態の維持を可能とし、更には下着装着が簡単である特にウォーキングやジョギング乃至登山等の活動時に最適な男性用下着の提供を課題とする。【解決手段】男性用下着の下着本体の股間部に略袋状の陰嚢収納部を有し、下着本体の前面に穴を有し、該穴の外周部分に略輪状の陰茎支持鍔部を有する男性用下着であり、装着時に装着者の陰嚢を略袋状の陰嚢収納部に収納し、装着者の陰茎を陰茎支持鍔部に挿入し、陰茎を支持する男性用下着によって解決できる。【選択図】    図１
2005023486.tif 000002
【特許請求の範囲】
【請求項１】
男性用下着の下着  １本体の股間部に略袋状の陰嚢収納部２、４２を有し、下着  １本体の前面に穴１３を有し、該穴１３の外周部分に略輪状の陰茎支持鍔部３、４３を有する男性用下着であって、
該男性用下着装着時に装着者の陰嚢を略袋状の陰嚢収納部２、４２に収納し、装着者の陰茎を陰茎支持鍔部３、４３に挿入し、陰茎を支持することを特徴とする男性用下着。
【請求項２】
陰嚢収納部２、４２の一部又は全体に、１又は２以上の通気穴２１を有することを特徴とする請求項１記載の男性用下着。
【請求項３】
陰嚢収納部２、４２の一部又は全体にメッシュ生地を用いたことを特徴とする請求項１又は請求項２のいずれかに記載の男性用下着。
【請求項４】
陰茎支持鍔部３、４３を下着  １本体の前面の外部に設けたことを特徴とする請求項１乃至請求項３のいずれかに記載の男性用下着。
【請求項５】
陰茎支持鍔部３、４３を下着  １本体の前面の内部に設けたことを特徴とする請求項１乃至請求項３のいずれかに記載の男性用下着。
【請求項６】
陰茎支持鍔部３、４３を伸縮性を有する部材により構成したことを特徴とする請求項１乃至請求項５のいずれかに記載の男性用下着。
【請求項７】
陰茎支持鍔部３、４３をガーゼにより構成したことを特徴とする請求項１乃至請求項６のいずれかに記載の男性用下着。
【請求項８】
陰茎支持鍔部３、４３に代え／と共に下着  １本体の前面に前面開口部１４を設け、
該前面開口部１４は、少なくとも下着装着時の陰茎の根元部周辺又は該周辺より上部にまで達しており、
該前面開口部１４の縁部に陰茎を載置するにより陰茎を支持することを特徴とする請求項１乃至請求項７のいずれかに記載の男性用下着。
【請求項９】
下着  １本体の前面の前面開口部１４の縁部の陰茎の載置箇所に凹部を設けたことを特徴とする請求項８記載の男性用下着。
【請求項１０】
陰茎支持鍔部３、４３に代え、下着本体の前面の二重の布部分にそれぞれ凹側を外縁とする陰茎支持弧状部  １６、１７を構成すると共に、
両陰茎支持弧状部  １６、１７のそれぞれの弧状の中央の布部分  １６ａ、１７ｂがやや重なり合って形成し、
両陰茎支持弧状部  １６、１７をそれぞれ開き、両弧状部の凹側の外縁間に陰茎を位置させる事により陰茎を挟持し、陰茎を支持することを特徴とする請求項１乃至請求項３、請求項８、請求項９のいずれかに記載の男性用下着。
【請求項１１】
下着  １本体の陰茎支持鍔部３、４３又は前面開口部１４又は陰茎支持弧状部  １６、１７の前面に覆部  １、１５、４５を設け、陰茎支持鍔部３、４３への挿入により導出し又は前面開口部１４の縁部に載置し又は陰茎支持弧状部  １６、１７で挟持した陰茎の覆いを行うことを特徴とする請求項１乃至請求項１０のいずれかに記載の男性用下着。
【請求項１２】
下着  １本体内に支持下着  ４を有し、該支持下着  ４本体又は下着  １本体の股間部に略袋状の陰嚢収納部２、４２を有し、支持下着  ４本体の前面に穴を有し、該穴の外周部分に略輪状の陰茎支持鍔部３、４３を有する男性用下着であって、
該男性用下着装着時に装着者の陰嚢を支持下着  ４又は下着  １本体の略袋状の陰嚢収納部２、４２に収納し、装着者の陰茎を支持下着  ４の陰茎支持鍔部３、４３に挿入し、陰茎を支持すると共に、陰茎支持鍔部３、４３により導出した陰茎を下着  １本体で覆うことを特徴とする請求項１乃至請求項１１のいずれかに記載の男性用下着。
【請求項１３】
支持下着  ４が下着  １本体から着脱自在であることを特徴とする請求項１２に記載の男性用下着。
【請求項１４】
ウォーキング、ジョギング又は登山を含む運動用の男性用下着であることを特徴とする請求項１乃至１３のいずれかに記載の男性用下着。
【発明の詳細な説明】
【０００１】
【発明の属する技術分野】
本発明は、男性用の下着に関し、より具体的には装着時の蒸れを防止すると共に下着内のずれを防止でき、特に運動時に着用する事が最適な男性用の下着に関する。
【０００２】
【従来の技術】
従来より、男性用の蒸れ防止下着としては、パンツ本体と、穴を有する布辺とを有し、パンツ本体の前面裏側にこの穴を有する布辺を縫製した男性用の下着からなる特開平  ９−４１２０１号が存在する。
係る発明は、前記下着を装着した際に、陰茎と陰嚢を前記布辺の穴内に挿入し、パンツ本体の前面裏側と布辺間に位置させることにより、内股や下腹部との接触を絶ち、蒸れを防止するものである。
或いは、男性用むれ防止用下着として特開２００３−９６６０１号が存在する。
これは、パンツ類の内側に履く下着であって、上部に開口部を有する袋体部とこの袋体部の表面側の両端部にパンツに脱着可能な取着手段とを供えた男性用むれ防止用下着であり、この袋体部の表生地側の前方に男性性器を位置した後、パンツを履き、このパンツの裏面側に前記取付手段を取り付ける男性用むれ防止用下着である。
この他、運動を行うに際して、男性性器のずれや動きを抑えるために一般的にサポーターを装着し、男性性器を弾圧して密着状態としてこのずれや動きを防ぐことは多用されている。
【０００３】
【発明が解決しようとする課題】
しかし、まず前記特開平  ９−４１２０１号に係る発明にあっては、陰茎と陰嚢を前記布辺の穴内に挿入し、パンツ本体の前面裏側と布辺間に位置させることにより、内股や下腹部との接触を絶ち、蒸れを防止するものであるが、この男性用下着の装着時に陰茎と陰嚢を共に穴内に挿入しなければならず、この全体の径に適合する穴は個人差がある事から多くの人に適合する穴を選別する事は困難であって、人によって適合しない穴を有する下着となり得るものである。
特に、陰茎と陰嚢を合わせた径は太径となり得るものであって、一旦穴に挿入したにも拘らず、作業や運動による若干の体の動き等で、この穴から下腹部方向に抜けてしまうことが生じやすいものである。
従って、現実に装着した場合には、万全に蒸れを防止することは難しいものであった。
更には、穴内に挿入された陰茎と陰嚢はそれぞれ接触状態で維持されることから両者の接触による蒸れ等は防ぐことはできなかった。
【０００４】
次に特開２００３−９６６０１号に関しては、陰嚢を袋体部内に位置させ、陰茎を袋体部の表生地外側に位置させることも可能であり、陰茎と陰嚢との接触を絶ち、両者の接触による蒸れを防止できる。
しかし、作業や運動による体の動きを行うと、袋体部内に位置させた陰嚢が外部に零れ出てしまう虞がある。
特にジョギング等を行った場合には、体の上下動が行われることから、陰嚢が外部に零れ出てしまうものであり、スポーツには全く適さないばかりでなく、通常の活動時においても駆けたり、跳ねたりした場合には、同様に陰嚢が袋体部外部に零れ出てしまうものである。
【０００５】
更には、係る袋体部の装着は下着の装着とは別途行う事が必要であり、極めて手間がかかることであると共に、この袋体部を下着であるパンツの裏面側に取付手段で取り付けることが必要であって極めて手間が掛かるものである。
この様に下着に袋体部を取り付けるが、例えば粘着面を有するシートを用いた場合には、粘着が剥れやすいものであり、活動時に袋体部が下着から外れてしまう虞もある。
これに代え面ファスナーやホック、或いは磁石等を用いても同様であると共に、これらの一定の大きさを有する部材が介在することにより、下着の履き心地を極端に悪くすることになりかねなかった。
【０００６】
以上より、例えば通常装着時の他、ジョギングや登山地に股間の部分である陰嚢と内股、陰嚢と陰茎の部分が汗をかいて汚れや匂い、或いは蒸れなどにより湿ってしまって極めて不快に感ずるものであり、或いは衛生的に良いとはいえない状態を表出させてしまう恐れがある。
更には、長時間ウォーキング、ジョギング或いは登山等をした場合には陰嚢と内股との接触によって擦れて、この接触部が赤く張れてしまうこともあった。
これらの、この不快感を除去するのために手で、股間の部分を触れることも多々ある。
従って、従来より解決しきれなかったこれらの問題を解決するため、即ち簡単に装着できると共に蒸れを防ぐ事ができ、特に蒸れ防止を必要とする運動時例えばジョギングや登山等を行うに際して用いることができると共に、極めて衛生的な蒸れ防止用男性下着の提供が望まれていた。
【０００７】
【課題を解決するための手段】
本発明は上記課題を解決するものであり、まず請求項１に係る発明は、男性用下着の下着本体の股間部に略袋状の陰嚢収納部を有し、下着本体の前面に穴を有し、該穴の外周部分に略輪状の陰茎支持鍔部を有する男性用下着であって、該男性用下着装着時に装着者の陰嚢を略袋状の陰嚢収納部に収納し、装着者の陰茎を陰茎支持鍔部に挿入し、陰茎を支持する男性用下着であり、係る発明によって前記課題を解決できる。
或いは請求項２に係る発明のように、陰嚢収納部の一部又は全体に、１又は２以上の通気穴を有する男性用下着によって、通気性を高められ、より蒸れの防止が図れる。
或いは、請求項３に係る発明のように陰嚢収納部の一部又は全体にメッシュ生地を用いた男性用下着でも同様である。
【０００８】
この他、請求項４に係る発明のように陰茎支持鍔部を下着本体の前面の外部に設けた男性用下着でも、請求項５に係る発明のように陰茎支持鍔部を下着本体の前面の内部に設けた男性用下着でもよい。
これらの場合、請求項６に係る発明のように陰茎支持鍔部を伸縮性を有する部材により構成した男性用下着により、陰茎の保持の精度を上げることができ、不用意なずれやはずれを防止できる。
尚、請求項７に係る発明のように陰茎支持鍔部をガーゼにより構成したこと男性用下着でもよい。
次に、請求項８に係る発明のように陰茎支持鍔部に代え／と共に下着本体の前面に前面開口部を設け、該前面開口部は、少なくとも下着装着時の陰茎の根元部周辺又は該周辺より上部にまで達しており、該前面開口部の縁部に陰茎を載置するにより陰茎を支持する男性用下着であっても極めて使い勝手よく簡単に陰茎と陰嚢の分離ができ、蒸れの防止ができる。
【０００９】
この場合、請求項９に係る発明のように下着本体の前面の前面開口部の縁部の陰茎の載置箇所に凹部を設けた男性用下着によって、定位置で陰茎を載置できる。
尚、請求項１０に係る発明のように陰茎支持鍔部に代え、下着本体の前面の二重の布部分にそれぞれ凹側を外縁とする陰茎支持弧状部を構成すると共に、両陰茎支持弧状部のそれぞれの弧状の凹側の外縁の中央部分の布部分がやや重なり合って形成し、両陰茎支持弧状部をそれぞれ開き、両弧状部の凹側の外縁間に陰茎を位置させる事により陰茎を挟持し、陰茎を支持する男性用下着によっても同様に前記課題を解決できる。
以上の場合、請求項１１に係る発明のように下着本体の陰茎支持鍔部又は前面開口部又は陰茎支持弧状部の前面に覆部を設け、陰茎支持鍔部への挿入により導出した陰茎の覆いを行う男性用下着によって、陰茎の露出の防止のみならず、例えばズボン等との不用意なる接触を防止でき、陰茎の保護が図れる。
【００１０】
これらの他、請求項１２に係る発明のように下着本体内に支持下着を有し、該支持下着本体の股間部に略袋状の陰嚢収納部を有し、支持下着本体の前面に穴を有し、該穴の外周部分に略輪状の陰茎支持鍔部を有する男性用下着であって、該男性用下着装着時に装着者の陰嚢を支持下着の略袋状の陰嚢収納部に収納し、装着者の陰茎を支持下着の陰茎支持鍔部に挿入し、陰茎を支持すると共に、陰茎支持鍔部により導出した陰茎を下着本体で覆う男性用下着によっても、前記課題を解決できる。
この場合、請求項１３に係る発明のように支持下着が下着本体から着脱自在である男性用下着を用いることにより、簡単に自己に合致する支持下着の装着を可能とする。
特に、請求項１３に係る発明のようにウォーキング、ジョギング又は登山を含む運動用の男性用下着として用いることが最も効果的である。
【００１１】
【発明の実施の形態】
本発明にかかる男性用下着の基本的な一実施の形態を図１に示す。
まず、図１は本発明に係る男性下着のブリーフタイプのいわゆるパンツからなる下着  １の正面図を示す図であり、該下着  １にはその上部外周辺部には伸縮性のあるゴム１１等を有して装着時の胴回りの密着を図ると共に左右の足を挿入する開口部１２をそれぞれ有する。
更に、下着  １本体の股間部分に陰嚢収納部  ２を有しており、又下着  １の前表面には陰茎挿入用の孔１３を有すると共にこの孔１３の周辺部には下着外方向に配設された略輪状の陰茎支持鍔部  ３を有している。
この陰嚢収納部  ２は、該下着  １の下部に略袋状の陰嚢（図示しない）を収納する収納部からなるものである。
この場合、この陰嚢収納部  ２は、下着  １の生地を用いて一体構成するものであっても、或いは別素材又は同一素材で別構成により形成するものであってもよい。
【００１２】
例えばこの陰嚢収納部  ２の一部又は全体にかけて穴を有するものであっても、或いはメッシュ生地を用いるものであってもよく、この様に構成することにより、内部と外部の空気の流通を図れ、蒸れの防止がより効果的に行える。
例えば底部のみに穴を設けて又はメッシュ生地にするものであっても、陰嚢収納部  ２全体にかけて多数の任意の小さい穴を設けたものであっても、これら以外の通気部を有するものであってもよい。
次に、陰茎支持鍔部  ３は、例えば伸縮性のある織地や編地等であればよく、陰茎支持鍔部  ３に陰茎（図示しない）を挿入する際の容易化及び支持時点での陰茎の支持の確実化が図れればよい。
例えば伸縮糸を用いたガーゼ等を用いたものであっても、或いは織り又は編みに伸縮糸を用いたものであっても、或いは伸縮可能に織り又は編んだ部材を用いたものであってもよい。
もちろん伸縮性を有さないガーゼ等の生地を用いたものでも、下着と同一の生地を用いたものであってもよい。
【００１３】
伸縮性を有する方が、陰茎の挿入及び支持には最適であるが、これに限定されるものではない。
特に陰茎支持鍔部  ３は略輪状よりなり、陰茎を陰茎支持鍔部  ３に導入して先端部分を導出するいわゆる装着時には、例えば陰茎の根元部分を支持するものとなり、下腹部及び陰嚢との接触を絶った状態で陰茎の支持ができる。
又、陰茎の支持であることから、陰茎が陰茎支持鍔部  ３から不用意にはずれることがなく、例えばジョギングやウォーキング或いは登山等の他、運動時においても装着状態の維持が可能となる。
例えば陰茎の根元部分での支持により、極めて効果的に活用できる。
図２は、本発明に係る他の男性用下着の側面図である。
本図には、陰嚢収納部  ２の一部である底部に穴２１を設けた一例を示す。
この様に構成すると陰嚢部分の収納部の通気の便宜を図り、蒸れの防止ができる。
【００１４】
更に、陰嚢部分を陰嚢収納部  ２で覆うことができ、陰嚢部分と他の部分との接触を絶つことができ、不快なる接触を防止でき、内腿等との接触による腫れ等を防止できる。
更に略輪状の陰茎支持鍔部  ３を示すが、本図に示す陰茎支持鍔部  ３は、下着  １本体の前面に配設されており、前面に突出した短幅の略輪状の陰茎支持鍔部  ３を明示しており、これは一例である。
この他、陰茎支持鍔部  ３は下着  １の内側方向に突出形成したものであってもよい。
少なくとも陰茎を下着  １外部に導出でき、かつ陰茎の支持が可能であればよい。従って、陰茎支持鍔部  ３の幅は、短幅であっても、やや長めの幅を有するものであってもよく、任意に選択可能である。
もとより陰茎支持鍔部  ３は陰茎を外部導出でき、かつ支持できる程度の極めて短い幅のみからなるものであってもよい。
【００１５】
なお、伸縮性のある部材により構成されるものであってもよいと共に、例えば摩擦係数の高い部材を用いてもよい。
例えばガーゼ等を用いると、多数の繊維にて陰茎と接触することから、陰茎がずれにくく、きっちりと支持できる。
図３は、他の一実施例を示す図であり、下着  １前面に陰茎支持鍔部  ３より表出した陰茎を覆う覆部１５を有する一例を示す図である。
これにより、下着  １より表出している陰茎の部分を例えばズボン等との直接の接触を絶つことができると共に、陰茎自体を覆い、陰茎の保護が図れる。
尚、本説明においては下着  １の外部全面に覆部１５を用いるとの表現にて記載しているが、これに限らず、下着  １の前面内側に内布を配設し、この内布の前面に陰茎支持鍔部  ３を設け、陰茎支持鍔部  ３に挿入した陰茎の先端部分がこの内布と下着  １の前面の内側との間に位置させるものでもよい。
図４は、図３の側面視の状態を示す図である。
図５は、陰茎支持鍔部  ３に代え、略弧状の陰茎支持弧状部  １６、１７を設けた一例を示す図であり、対象形状の二つの陰茎支持弧状部  １６、１７を下着  １前面の二重布のそれぞれに一つずつ構成した状態を示す図である。
【００１６】
本図では左右対象形状に二つの凹側を外縁とする陰茎支持弧状部  １６、１７をそれぞれ下着  １前面に設けると共に、その弧状の中央の布部分  １６ａ、１７ａがやや重なり合う形状にて構成されており、この両陰茎支持弧状部  １６、１７をそれぞれ開き、両弧状部  １６、１７間に陰茎を位置させることにより、陰茎を外部方向に導出でき、更には陰茎の支持が行える。
本図では左右対象になるように左右方向に重なり合って形成しているが、この他、上下方向に対象に重なり合って形成したものであっても或いは傾斜形状にて対象に重なり合って形成したものであってもよい。
図６はいわゆるトランクスタイプの男性下着に本発明を用いた一例を示す図であり、トランクス  １の内側に支持下着  ４を有しており、この支持下着  ４の底部に陰嚢収納部４２を有し、更に支持下着  ４前面に陰茎支持鍔部４３を有している。
この様に構成することにより、陰嚢の収納ができ、他の部位との接触を防げ、更には陰茎も他の部位との接触を防いだ上で指示できる状態となる。
【００１７】
図７は図６の側面図であり、陰嚢と陰茎をきっちりと離した状態で支持でき、蒸れを防止すると共に他の部位との接触を防ぐことができる。
図８は、図６及び図７に示す構成の他の一例を示す図である。
図６及び図７に示す構成においては、陰茎の部分がトランクスタイプの下着  １の側面に位置する布の部分と不用意に擦れてしまうことがあり、これを防ぐために支持下着  ４の外側に更に覆部４５を設けた一例を示す図である。
これにより、陰茎部分の不用意なずれや擦れを防止できる。
例えばこの覆部４５を更に支持下着  ４と密着状態として、支持下着  ４と覆部４５によって陰茎が挟まれ、位置決めされるものであってもよい。
図９は、下着  １本体の前面に前面開口部１４を設けた一実施の形態を示す図である。
【００１８】
本図に示すように下着  １本体前面には略三角形状の前面開口部１４を有していると共に、更にその前面開口部１４の頂点部分  １４１は、下着  １装着時の陰茎の根元部周辺乃至該周辺よりやや上部にあり、この前面開口部１４の縁部である弧状の角の部分である頂点部分  １４１に陰茎の根元部または陰茎の中間部等を載置することにより、陰茎と陰嚢の分離ができる。
本図においては陰茎支持鍔部  ３を併せて有しているが、この陰茎支持鍔部  ３がないものであっても良い。
尚、この陰茎支持鍔部  ３に代え、陰茎支持弧状部  １６、１７を有するものであってもよい。
両者を併せ有することにより、使用者は任意で前面開口部１４の縁部の頂点部分  １４１に陰茎の根元部分等を載置しても、或いは陰茎支持鍔部  ３や陰茎支持弧状部  １６、１７に挿入してもよく、使い勝手のよいほうを任意に選択できることとなる。
【００１９】
尚、前面開口部１４の上部は下着  １本体のウエスト部分の例えばゴム等を有する部分１１であり、またの部分には陰嚢収納部  ２を有する。
本図に示す前面開口部１４は、その外周縁を略三角形状とし、陰茎を載置する箇所である頂点部  １４１は弧状の角により構成されており、この部分への陰茎の位置決めの容易化が図られている。
この他、前面開口部１４を円形或いは他の形状によって構成するものであってもよく、少なくとも陰茎を載置可能な縁部を有しているものであればよい。
また前面開口部１４は略直線形状  １４２、１４３で両端側から傾斜して陰茎を載置する箇所を頂点として構成しているが、この構成に限らず略直線形状でなく弧状形状により構成しても、或いは単なる一の直線形状のみにより構成しても、或いはその他の形状によって形成したものであってもいずれでもよい。
この他、前面開口部１４の縁部の陰茎の載置箇所に凹部を設けたものであってもよい。
【００２０】
従って、本図に示す構成で更に陰茎載置箇所である弧状の角の部分  １４１に凹部を設けたものであってもよい。
或いは単に直線状の縁部を有し、陰茎を載置する箇所に凹部を設けたものであってもよい。
尚、これらのように構成することにより反射的効果として、下着  １本体の弾圧力を有する場合には陰茎を弾圧的に位置決め及び保持を図ることができる。
図１０は、下着  １本体内の支持下着  ４に前面開口部１４を設けた構成を示す図である。
支持下着  ４を下着  １本体内に有しており、この支持下着  ４にも図９と同様にその前面には略三角形状の前面開口部１４を有しており、その前面開口部１４の頂点部分  １４１は下着装着時の陰茎の根元部周辺乃至該周辺よりやや上部にあり、この弧状の角の部分  １４１に陰茎を載置可能とすると共に陰茎支持鍔部  ３を併せ有している。
【００２１】
本前面開口部１４の縁部に陰茎を載置した場合には下着  １本体の前面により陰茎が覆われることとなり、陰茎を隠す事ができると共に陰茎の保護が図れる。
尚、前図と同様に、陰茎支持鍔部  ３を用いて陰茎を支持下着  ４内から外部に導出するものであってもよい。
また、陰茎支持鍔部  ３を有していないものであってもよく、又陰茎支持鍔部  ３に代え陰茎支持弧状部  １６、１７を有するものであってもよい。
前面開口部１４の構成に関しては前図と同様にこの形態に限定されるものではなく、円形であっても他の形状であってもよく、少なくとも陰茎を載置可能な縁部を有しているものであればよい。
従って、単なる直線形状のものであってもよい。
例えば陰茎載置用の凹部を有すれば、陰茎の位置決め及び保持が可能である。
尚、この支持下着  ４に関しては下着  １本体と着脱自在に構成されているものであってもよい。
【００２２】
支持下着  ４を任意の下着と着脱自在の構成する事により、好きな柄や形状等の下着に簡単に本発明を自由に用いることができる。
着脱方法に関しては公知な着脱構成或いは着脱方法を用いればよい。
例えば係止具などを用いるものでもよい。
この着脱自在に関しては、支持下着  ４自体のみでの装着が可能な構成であってもよい。
即ち下着の下に予めこの支持下着  ４を装着し、この装着した支持下着  ４の上に下着を装着するものであってもよく、本明細書上この構成も着脱自在に含まれるものであり、下着のゴム等により下の支持下着  ４も押圧されて両者を腰の部分に装着可能であることからこの構成も着脱自在に含まれる。
この他、支持下着  ４は臀部を包む部分を有さず、いわゆる前部のみにより構成されているものであってもよい。
少なくとも、陰嚢収納部  ２及び陰茎支持鍔部  ３と陰茎支持弧状部  １６、１７と前面開口部１４の内いずれか一以上を有していればよい。
図１１は、図１０の側面視の状態を示す図である。
【００２３】
【発明の効果】
１、本発明に係る男性用下着により、装着者の陰嚢を略袋状の陰嚢収納部に収納し、装着者の陰茎を陰茎支持鍔部、陰茎支持弧状部より導出でき、又前面開口部の縁部に載置できることから陰嚢と陰茎の接触を絶ち、更には下腹部や太腿との接触を絶つことが可能となり、蒸れを防止すると共に、陰茎及び陰嚢の装着時のずれや外れを防ぐことができ装着状態の維持が可能となって、例えば陰茎の位置の修正等が不要となり、ウォーキングやジョギング乃至登山等の活動時に最適な男性用下着の提供ができるという第一の効果を有する。
特に係るウォーキング等に限らず各種の運動乃至スポーツにも最適な男性用下着の提供ができる。
２、更に簡単に装着でき、極めて使い勝手のよい男性用下着の提供ができるという第二の効果を有する。
特に、前面開口部を用いた構成にすることにより、極めて容易に陰茎を定置でき、装着が容易であるばかりでなく、十分に蒸れを帽子でき、かつ陰茎のずれや外れなどを防止できる。
【００２４】
３、陰嚢収納部に通気穴やメッシュ生地を用いる事により、陰嚢の収納部の通気を保つことができ、蒸れの防止の効果を更に高めることができるという効果を有する。
４、陰茎支持鍔部を伸縮性を有する部材又はガーゼにより構成することにより陰茎の支持の効果を高めることができ、陰茎のずれや外れを防止できる。
５、本男性下着の前面に覆部を設け又は本体に支持下着を用いた構成を採ることにより、陰茎支持鍔部から導出し又は前面開口部に載置し又は陰茎支持弧状部で挟持した陰茎を覆うことができ、陰茎の保護を測ることができる。
６、更に支持下着に関しては、下着本体と着脱自在に構成することにより、その装着の便を図れると共に、一の支持下着に対して自己の希望する下着を任意に組合わせる事ができ、極めて洗濯性の高い男性用下着の提供ができる。
【図面の簡単な説明】
【図１】本発明にかかる男性用下着の一実施の形態を示す図
【図２】本発明にかかる男性用下着の他の一実施の形態を側面から視認した状態を示す図
【図３】本発明にかかる男性用下着の他の一実施の形態を示す図
【図４】図３の側面から視認した状態を示す図
【図５】本発明にかかる男性用下着の他の一実施の形態を示す図
【図６】本発明にかかる男性用下着の他の一実施の形態を示す図
【図７】図６の側面から視認した状態を示す図
【図８】本発明にかかる男性用下着の他の一実施の形態を示す図
【図９】本発明にかかる男性用下着の他の一実施の形態を示す図
【図１０】本発明にかかる男性用下着の他の一実施の形態を示す図
【図１１】図１０の側面から視認した状態を示す図
【符号の説明】
１    下着（覆部）
１１    ゴム
１２    足挿入開口部
１３    前面穴
１４    前面開口部
１４１    頂点部分
１５    覆部
１６    陰茎支持弧状部
１６ａ  陰茎支持弧状部の弧状の中央の布部分
１７    陰茎支持弧状部
１７ａ  陰茎支持弧状部の弧状の中央の布部分
２    陰嚢収納部
２１    通気穴
３    陰茎支持鍔部
４    支持下着
４２    陰嚢収納部
４３    陰茎支持鍔部
４５    覆部
【図１】
2005023486.tif 000003
【図２】
2005023486.tif 000004
【図３】
2005023486.tif 000005
【図４】
2005023486.tif 000006
【図５】
2005023486.tif 000007
【図６】
2005023486.tif 000008
【図７】
2005023486.tif 000009
【図８】
2005023486.tif 000010
【図９】
2005023486.tif 000011
【図１０】
2005023486.tif 000012
【図１１】
2005023486.tif 000013